(57)【要約】【課題】負傷者や要介護者等を搬送する被搬送者搬送具を提供する。【解決手段】シート状の担架本体１１を被搬送者側装着体１２を介して被搬送者Ｍ２に装着させ、担架本体１１に具備する搬送者側装着体１３を介して搬送者Ｍ１が装着することにより被搬送者Ｍ２を背負う背負い具１０ｂとして使用可能とすると共に、担架本体１１の長手方向に配設された複数個の持ち手５０を搬送者Ｍ１が持つことにより、被搬送者Ｍ２を担架本体１１上に乗せて搬送可能とする担架１０ａとして使用可能とするとする被搬送者搬送具１０である。【選択図】図１
2011217882.tif 000002
【特許請求の範囲】
【請求項１】
長手方向に配設された複数個の持ち手を搬送者が持つことにより、被搬送者を乗せて搬送させる布製の担架本体を備えた被搬送者搬送具であって、
担架本体は、同担架本体を被搬送者に装着させる被搬送者側装着体と、
搬送者が装着することにより被搬送者側装着体を介して装着された被搬送者を背負い可能とする搬送者装着体と、を具備することを特徴とする被搬送者搬送具。
【請求項２】
担架本体は、網目状に編み込まれた表面部及び裏面部と、表面部の網目と裏面部の網目とを連結糸で連結された連結部とで構成された三次元立体編物で形成されたことを特徴とする請求項１に記載の被搬送者搬送具。
【請求項３】
被搬送者側装着体は、被搬送者の肩部に掛け回して固定する肩部連結ベルトと、
被搬送者の腋窩部を固定する腋窩部連結ベルトと、
被搬送者の少なくとも背中から大腿部の裏側にかけて固定する臀部連結ベルトと、を具備することを特徴とする請求項１又は請求項２に記載の被搬送者搬送具。
【請求項４】
搬送者側装着体は、搬送者の体型に応じて締め付け調節可能とする左右一対の肩掛けベルトを具備する一方、
各肩掛けベルトはそれぞれ背負う人の体型に応じて締め付け調節可能とし、各肩掛けベルトには、被搬送者の大腿部を搬送者の腰部の左右側方に保持させる大腿部保持ベルトがそれぞれ連結されたことを特徴とする請求項１〜請求項３のいずれか１項に記載の被搬送者搬送具。
【請求項５】
持ち手は、担架本体の長手方向の両端部と中央部の複数個所とに配設したことを特徴とする請求項１に記載の被搬送者搬送具。
【発明の詳細な説明】
【技術分野】
【０００１】
本発明は、負傷者や要介護者等の被搬送者を搬送する被搬送者搬送具に関する。
【背景技術】
【０００２】
従来、自力で行動することが困難な状態にある一人の人間、例えば、負傷者、障害者、又は、老人等（以下、被搬送者と記す）を、一人の搬送者が搬送する際には、背負うのが一般的であり、この際、背負い具を使用している。
【０００３】
例えば、特許文献１には被搬送者を搬送できる背負い具が本願出願人により開示されている。この特許文献には、背負う人は背負い側装着体を装着すると共に、背負われる人は背負われ側装着体を装着することにより、背負う人が背負われる人を背中側に引き寄せながら楽に背負う背負い具が開示されている。
【先行技術文献】
【特許文献】
【０００４】
【特許文献１】特開２００２−３６０６３３号公報
【発明の概要】
【発明が解決しようとする課題】
【０００５】
しかし、例えば、脚を骨折した負傷者等は、脚を伸ばして横臥した状態で搬送した方がよく、上記背負い具では、そのような横臥した状態で搬送することができない。また、搬送者が複数人いれば、担架の形態の方が緊急時の搬送を速やかに行え、また、横臥した状態での被搬送者の搬送ができる。
【０００６】
これに対して、その場において搬送者が一人のみしかいなく、負傷者を搬送する場合には、上記のような背負い具の形態で搬送した方が搬送者の負担とならない。したがって、搬送者の人数、被搬送者の負傷の具合又は不自由さの程度によって、担架若しくは背負い具のいずれかの形態を有する搬送具があれば便利である。
【０００７】
本発明は、斯かる事情に鑑みてなされたものであって、負傷者等の被搬送者を横臥した状態で搬送者が搬送する担架として使用可能とすると共に、搬送者が被搬送者を背負って搬送する背負い具として使用可能とする被搬送者搬送具を提供する。
【課題を解決するための手段】
【０００８】
上記課題を解決するための、長手方向に配設された複数個の持ち手を搬送者が持つことにより、被搬送者を乗せて搬送させる布製の担架本体を備えた被搬送者搬送具であって、担架本体は、同担架本体を被搬送者に装着させる被搬送者側装着体と、搬送者が装着することにより被搬送者側装着体を介して装着された被搬送者を背負い可能とする搬送者装着体と、を具備することとした。
【０００９】
また、本発明に係る被搬送者搬送具では、以下の点にも特徴を有する。
【００１０】
（１）担架本体は、網目状に編み込まれた表面部及び裏面部と、表面部の網目と裏面部の網目とを連結糸で連結された連結部とで構成された三次元立体編み物で形成されたこと。
【００１１】
（２）被搬送者側装着体は、被搬送者の肩部を連結する肩部連結ベルトと、被搬送者の腋窩部を固定する腋窩部連結ベルトと、被搬送者の少なくとも背中から大腿部の裏側にかけて固定する臀部連結ベルトと、を具備すること。
【００１２】
（３）搬送者側装着体は、搬送者の体型に応じて締め付け調節可能とする左右一対の肩掛けベルトを具備する一方、各肩掛けベルトはそれぞれ背負う人の体型に応じて締め付け調節可能とし、各肩掛けベルトには、被搬送者の大腿部を搬送者の腰部の左右側方に保持させる大腿部保持ベルトがそれぞれ連結されたこと。
【００１３】
（４）持ち手は、担架本体の長手方向の両端部及び中央部に複数個配設したこと。
【発明の効果】
【００１４】
請求項１に記載の被搬送者搬送具では、担架本体の長手方向に配設された複数個の持ち手のいずれかを搬送者が持つことにより、被搬送者を担架本体上に乗せて搬送する担架として使用可能とすると共に、被搬送者側装着体を介して担架本体を被搬送者に装着させ、搬送者側装着体を介して搬送者が装着することにより被搬送者を背負う背負い具として使用可能とする被搬送者搬送具を提供することができる。
【００１５】
また、請求項２に記載の被搬送者搬送具では、担架本体が三次元立体網物で構成されているので、三次元立体編物の繊維糸が水分を含みにくい素材にすれば、その編物全体が水分を保持しにくい網目構造を有するため、雨天時等においても搬送具として使用できる。また、三次元立体網物は、軽量性、通気性を有すると共に、被搬送者の体型に沿わせることができ、背負い易い柔軟性も有している。
【００１６】
また、請求項３に記載の被搬送者搬送具では、被搬送者の肩部に肩部連結ベルトを掛け回し、被搬送者の腋窩部に腋窩部連結ベルトを通し、被搬送者の臀部に臀部連結ベルトを掛け回すことにより、布製のシート状の担架本体を三つ折り状態などにして被搬送者に装着させることができる。
【００１７】
また、請求項４に記載の被搬送者搬送具では、搬送者は、搬送者の体型に応じて締め付け調節可能とする肩掛けベルトと、被搬送者の大腿部を搬送者の腰部の左右側方に保持させる保持ベルトにより、被搬送者の重心を、搬送者の腰部の位置に確実に配置することができて、搬送者の肉体的負担や経時的疲労を軽減することができると共に、被搬送者に圧迫感を与えない搬送姿勢を安定化させことができて、搬送者の疲労も軽減することができる。
【００１８】
また、請求項５に記載の被搬送者搬送具では、担架本体の長手方向の両端部及び中央部に複数個配設したので、担架の形態として使用する場合に、搬送者が二人の場合には、担架本体の両端部に配設された持ち手を持つことにより、被搬送者を担架本体に乗せて搬送することができる。または、三人または四人の場合には、担架本体の長手方向の両端部に二人と長手方向中央部に二人配置して搬送することができる。
【図面の簡単な説明】
【００１９】
【図１】本発明に係る実施形態の被搬送者搬送具の担架本体を展開させた状態を示す平面図である。
【図２】本発明に係る実施形態の被搬送者搬送具の担架本体を展開させた状態を示す底面図である。
【図３】本発明に係る実施形態の被搬送者搬送具の担架本体の三次元立体編物の構造を示す平面図である。
【図４】本発明に係る実施形態の被搬送者搬送具の担架本体の三次元立体編物の構造を示す断面図である。
【図５】本発明に係る実施形態の被搬送者搬送具を背負い具として使用する担架本体の装着状態を示す側面図である。
【図６】本発明に係る実施形態の被搬送者搬送具の背負い具として使用時に被搬送者を背負う状態を示す側面図である。
【図７】本発明に係る実施形態の被搬送者搬送具を背負い具として使用した形態を示す側面図である。
【図８】本発明に係る実施形態の被搬送者搬送具を背負い具として使用した形態を示す正面図である。
【図９】本発明に係る実施形態の被搬送者搬送具を担架として使用した形態を示す側面図である。
【発明を実施するための形態】
【００２０】
本発明は、長手方向に配設された複数個の持ち手を搬送者が持つことにより、被搬送者を乗せて搬送させる布製の担架本体を備えた被搬送者搬送具であって、担架本体は、同担架本体を被搬送者に装着させる被搬送者側装着体と、搬送者が装着することにより被搬送者側装着体を介して装着された被搬送者を背負い可能とする搬送者装着体と、を具備する被搬送者搬送具を提供するものである。
【００２１】
そして、本発明は、特徴的構造として、担架本体は、網目状に編み込まれた表面部及び裏面部と、表面部の網目と裏面部の網目とを連結糸で連結された連結部とで構成された三次元立体編み物で形成されている。
【実施例】
【００２２】
以下に、本発明の実施例について図面を参照しながら説明する。図１及び図２に示すように、本実施例における被搬送者搬送具１０は、長手方向に配設された複数個の持ち手５０を搬送者Ｍ１が持つことにより、被搬送者Ｍ２を乗せて搬送させる布製の担架本体１１を備えた被搬送者搬送具１０であって、担架本体１１は、同担架本体１１を被搬送者Ｍ２に装着させる被搬送者側装着体１２と、搬送者Ｍ１が装着することにより被搬送者側装着体１２を介して装着された被搬送者Ｍ２を背負い可能とする搬送者側装着体１３と、を具備する。
【００２３】
担架本体１１は、伸縮性とクッション性を有する布製であり、長細くシート状に構成されたものである。担架本体１１の長さは人の身長より若干小さめに形成され、幅は人の胴体全体を覆うサイズを有する。担架本体１１の周縁部には、担架本体１１の繊維などがほつれないように補強部材２４が縫着されている。
【００２４】
担架本体１１は、図３及び図４に示すように、網目状に編み込まれた表面部１４及び裏面部１５と、表面部１４の網目１７と裏面部１５の網目１７とを連結糸１８で連結された連結部１６とで構成された三次元立体編物１９で形成されている。
【００２５】
この三次元立体編物１９として、例えば、旭化成せんい株式会社製のフュージョン（登録商標）を使用することができる。また、三次元立体編物１９に表面部１４を構成する繊維としてポリエチレンテレフタレートが使用され、裏面部１５を構成する繊維としてポリトリポリブチレンテレフタレートなどが使用され、連結部１６を構成する繊維としてポリトリメチレンテレフタレート、ナイロンなどが使用される。なお、網目状に編み込まれる表面部１４及び裏面部１５の網目１７の大きさは限定されない。
【００２６】
上記繊維は、上記素材で構成することにより伸縮性及びクッション性を有するので、被搬送者Ｍ２が担架本体１１に乗ったときの乗り心地を良くすることができると共に、被搬送者Ｍ２の身体に負担をかけにくくすることができる。
【００２７】
また、三次元立体編物１９は、上記繊維が水分を含みにくく、また、水分を保持しにくい網目構造を有して、雨天時等でも搬送具として使用しやすい素材で形成している。
【００２８】
さらに、担架本体１１は、被搬送者側装着体１２と搬送者側装着体１３とを具備する。以下、被搬送者側装着体１２と搬送者側装着体１３とのついて詳細に説明する。
【００２９】
まず、被搬送者側装着体１２は、図１及び図２に示すように、被搬送者Ｍ２の肩部に掛け回して固定する左右一対の肩部連結ベルト３５と、被搬送者Ｍ２の腋窩部を固定する左右一対の腋窩部連結ベルト４０と、被搬送者Ｍ２の少なくとも背中から大腿部の裏側にかけて固定する左右一対の臀部連結ベルト４５と、を担架本体１１上に具備する。
【００３０】
肩部連結ベルト３５は、図１及び図２に示すように、左右一対の肩部連結ベルト本体３６を有し、同肩部連結ベルト本体３６を担架本体１１の上方において展開させるように、その基端部３７を担架本体１１の上端側にそれぞれ縫着させている。
【００３１】
また、肩部連結ベルト本体３６の先端部に雄側連結具３８ａを取り付ける一方、肩部連結ベルト本体３６の雄側連結具３８ａを嵌合させる雌側連結具３８ｂは、搬送者側装着体１３側の肩掛けベルト２０の中途部に配設している。
【００３２】
各肩部連結ベルト３５は、締め付け調節ベルト体３９を肩部連結ベルト本体３６上にそれぞれ備えており、締め付け調節ベルト体３９を伸縮長さ調節することにより、各肩掛けベルト本体２１の長さを、被搬送者Ｍ２の体型に適合させるべく締め付け調節が行えるようにしている。
【００３３】
腋窩部連結ベルト４０は、図１及び図２に示すように、左右一対の腋窩部連結ベルト本体４１を有し、同腋窩部連結ベルト本体４１を左右に展開させるように、その基端部４２を担架本体１１の上側にそれぞれ縫着させている。
【００３４】
また、同腋窩部連結ベルト本体４１の先端部に雄側連結具４３ａを取り付ける一方、腋窩部連結ベルト本体４１の雄側連結具４３ａを嵌合させる雌側連結具４３ｂは、担架本体１１上の肩掛けベルト２０近くに配設している。この腋窩部連結ベルト本体４１も締め付け調節ベルト体４４により伸縮長さを調節できるようにしている。
【００３５】
臀部連結ベルト４５は、図１及び図２に示すように、左右一対の臀部連結ベルト本体４６をそれぞれ有し、同臀部連結ベルト本体４６を左右に展開させるように、その基端部を担架本体１１の中央ベルト片５６に縫着させている。
【００３６】
また、同臀部連結ベルト本体４６の先端部に雄側連結具４７ａを取り付ける一方、臀部連結ベルト本体４６の雄側連結具４７ａを嵌合させる雌側連結具４７ｂは、担架本体１１上の中途部４９に配設している。この臀部連結ベルト本体４６も締め付け調節ベルト体４８により伸縮長さを調節できるようにしている。
【００３７】
次に、搬送者側装着体１３は、図１及び図２に示すように、搬送者の体型に応じて締め付け調節可能とする左右一対の肩掛けベルト２０を担架本体１１上に具備する一方、背負い人である搬送者Ｍ１の腹部に掛け回す腹部連結ベルト５７を担架本体１１の下端側に具備している。また、上記左右一対の肩掛けベルト２０には、被搬送者Ｍ２の大腿部を搬送者Ｍ１の腰部の左右側方に保持させる大腿部保持ベルト２８がそれぞれ連結されている。
【００３８】
左右一対の肩掛けベルト２０は、図１に示すように、担架本体１１の下部において肩掛けベルト本体２１をそれぞれ形成し、同各肩掛けベルト本体２１の上端部は担架本体１１の中途部において縫着された中央ベルト片５６と共に担架本体１１に縫着されている。また、各肩掛けベルト本体２１に、同肩掛けベルト本体２１の伸延方向に伸延させて形成した肩当てクッション片２２をそれぞれ取り付けている。さらに、各肩掛けベルト本体２１の下端部に伸縮長さ調節自在の締め付け調節ベルト体２３を各肩掛けベルト本体２１の伸延方向に沿わせて取り付けて、各締め付け調節ベルト体２３を伸縮長さ調節することにより、各肩掛けベルト本体２１の長さを、搬送者Ｍ１の体型に適合させるべく締め付け調節が行えるようにしている。
【００３９】
また、図２に示すように、肩掛けベルト本体２１の位置する担架本体１１の裏面側には、搬送者Ｍ１が肩掛け時に担架本体１１の垂れ下がりを防止する垂れ下がり固定片５５が縫着されている。
【００４０】
腹部連結ベルト５７は、図１及び図２に示すように、担架本体１１の下部に腹巻きベルト基端片２５を縫着すると共に、腹巻きベルト基端片２５は担架本体１１よりも左右側に突出させて、その突出させた先端側に雌側連結具２７ｂを設けている。また、腹巻きベルト片２６を上記腹巻きベルト基端片２５とは別体に設けて、腹巻きベルト片２６の両端部に雄側連結具２７ａを配設している。
【００４１】
そして、腹巻きベルト片２６を搬送者Ｍ１の腹部に掛け回した状態で、腹巻きベルト基端片２５及び腹巻きベルト片２６の両連結具２７ａ，２７ｂを嵌合させてワンタッチにて連結して被搬送者Ｍ２の腹部に掛け回すようにし、また、ワンタッチにて両連結具２７ａ，２７ｂを連結解除することにより腹巻きベルト片２６の装着を解除できるようにしている。
【００４２】
大腿部保持ベルト２８は、図１及び図２に示すように、肩掛けベルト本体２１の中途部から連結ベルト２９を連結させ、その連結ベルト２９の先端側に雄側連結具３０ａを連結している。この雄側連結具３０ａには、その大腿部ベルト片３１に中央部に配設された雌側連結具３０ｂを嵌合させてワンタッチにて連結可能としている。
【００４３】
また、大腿部ベルト片３１の一端側内周部にクッション体３２を保持させ、そのクッション体３２の外周部に面ファスナー雌材片３４を配設している。また、大腿部ベルト片３１の他端側内周部に面ファスナー雄材片３３を配設している。
【００４４】
このようにして、クッション体３２を被搬送者Ｍ２の大腿部に巻回して、大腿部ベルト片３１の面ファスナー雄材片３３と面ファスナー雌材片３４とを貼設して、大腿部保持ベルト２８を被搬送者Ｍ２の大腿部に装着するようにしている。
【００４５】
次に、図１及び図２に示すように、担架本体１１には、担架１０ａとして使用時に搬送者Ｍ１が担架本体１１を持ち易いように持ち手５０が配設されている。持ち手５０は、担架本体１１の長手方向の両端部と中央部に三箇所配設している。持ち手５０は略コの字形状を有し、両端部が担架本体１１周縁部の補強部材２４に縫着固定されている。
【００４６】
また、担架本体１１の上端側に袋体５２を配設しており、この袋体５２は、使用しないベルト等をその内部に挿入するなどして、被搬送者Ｍ２を横臥状態にして搬送するときの枕として使用することができる。
【００４７】
さらに、担架本体１１の下端側には、背負い側の搬送者Ｍ１の肩部を保護する保護パッド５３が配設されている。また、搬送者Ｍ１が装着する肩掛けベルト２０の上部に取っ手５４が配設されている。この取っ手５４は、上方に持ち上げることにより、担架本体１１を三つ折りの形態にして、被搬送者Ｍ２に装着しやすいようにするものである。
【００４８】
次に、上記のように構成した被搬送者搬送具１０を背負い具１０ｂとして使用する使用方法について図５〜図８を参照して詳細に説明する。
【００４９】
まず、図５に示すように、本願発明である被搬送者搬送具１０を準備し、担架本体１１を展開した状態にして被搬送者Ｍ２に装着させる。この際、担架本体１１は、側面視して三つ折りした状態にし、三つ折りした谷部分を被搬送者Ｍ２の臀部の下方に通すと共に、被搬送者Ｍ２の足は担架本体１１の左右両側に突出した状態で装着する。
【００５０】
そして、三つ折りした担架本体１１を被搬送者Ｍ２に装着した状態で、左右一対の肩部連結ベルト３５を被搬送者Ｍ２の肩部に掛け回し、肩部連結ベルト本体３６の先端側に取り付けられた雄側連結具３８ａを、搬送者Ｍ１が装着する肩掛けベルト２０に取り付けられた雌側連結具３８ｂにワンタッチで嵌合して連結する。また、締め付け調節ベルト体３９を伸縮長さ調節することにより、各肩掛けベルト本体２１の長さを、被搬送者Ｍ２の体型に適合させる。
【００５１】
次いで、左右一対の腋窩部連結ベルト４０を被搬送者Ｍ２の腋部に掛け回し、腋窩部連結ベルト本体４１の先端側に取り付けられた雄側連結具４３ａを、搬送者Ｍ１が装着する腋窩部連結ベルト本体４１に取り付けられた雌側連結具４３ｂにワンタッチで嵌合して連結する。また、締め付け調節ベルト体４４を伸縮長さ調節することにより、各腋窩部連結ベルト本体４１の長さを、被搬送者Ｍ２の体型に適合させる。
【００５２】
さらに、左右一対の臀部連結ベルト４５を被搬送者Ｍ２の肩部に掛け回し、臀部連結ベルト本体４６の先端側に取り付けられた雄側連結具４７ａを、搬送者Ｍ１が装着する臀部連結ベルト本体４６に取り付けられた雌側連結具４７ｂにワンタッチで嵌合して連結する。
【００５３】
また、締め付け調節ベルト体４８を伸縮長さ調節することにより、各臀部連結ベルト本体４６の長さを、被搬送者Ｍ２の体型に適合させると共に、被搬送者Ｍ２の臀部を持ち上げることにより被搬送者Ｍ２を搬送者Ｍ１側に寄せるようにしている。以上のようにして、被搬送者側装着体１２を介して担架本体１１を被搬送者Ｍ２に装着することができる。
【００５４】
この後、図６に示すように、搬送者Ｍ１は、被搬送者Ｍ２の前方に位置して、前屈みの状態で担架本体１１の左右一対の肩掛けベルト２０に肩を通して、被搬送者Ｍ２を自分の背中に引き寄せるようにする。そして、搬送者Ｍ１は、被搬送者Ｍ２の大腿部を自分の腰部の左右側方に保持させながら、被搬送者Ｍ２の重心が搬送者Ｍ１の腰部に位置するようにして被搬送者Ｍ２を背負う。
【００５５】
最後に、図７及び図８に示すように、搬送者Ｍ１は腹部連結ベルト５７を腹部に掛け回して、被搬送者Ｍ２を背負いながらの被搬送者搬送具１０の装着を強固なものとする。この結果、本願発明における被搬送者搬送具１０は、背負い具１０ｂの形態により搬送者一人で被搬送者Ｍ２の搬送が可能となる。
【００５６】
この際、本願発明に係る被搬送者搬送具１０は、被搬送者Ｍ２の重心を、搬送者Ｍ１の腰部の位置に確実に配置することができて、搬送者Ｍ１の肉体的負担や経時的疲労を軽減することができると共に、被搬送者Ｍ２に圧迫感を与えない搬送姿勢を安定化させることができて、被搬送者Ｍ２の疲労も軽減することができる。
【００５７】
次に、上記のように構成した被搬送者搬送具１０を担架１０ａとして使用する使用方法について詳細に説明する。
【００５８】
まず、図１に示すように、担架本体１１を広げた状態にして、担架本体１１上に被搬送者Ｍ２を乗せる。二人で搬送者Ｍ１を搬送する時は、担架本体１１の両端部に位置する持ち手５０を持って搬送するようにする。四人で搬送する場合には、二人が担架本体１１の両端部に位置する持ち手５０を、残りの二人が担架本体１１の中央部に位置するいずれかの持ち手５０を持って搬送するようにしている。
【００５９】
また、図９に示すように、短距離であれば搬送者Ｍ１が担架本体１１上で腰掛けた形での搬送も可能である。このとき被搬送者Ｍ２の片腕は曲げた状態での搬送になるが、両腕を伸ばしても被搬送者Ｍ２がやや寝る形での搬送は可能になる。
【００６０】
さらに、二人の搬送者Ｍ１が担架１０ａの形態で長距離搬送する場合は、棒を持ち手５０の空間部に差し込んで通常の担架１０ａの形態で搬送するようにしてもよい。棒を使わない時は、三人以上の搬送者Ｍ１で運ぶことが好ましく、一人が被搬送者Ｍ２の頭側を、二人が胴体と足側部分を両サイドから抱えるようにする。
【００６１】
なお、担架１０ａとして使用する場合は、背負い具１０ｂとして使用時の搬送者Ｍ１の腹部を固定する腹部連結ベルト５７を使用して、被搬送者Ｍ２の足部周囲に巻回して固定して搬送することもできる。
【００６２】
上記構造に対して、搬送者側装着体と被搬送者側装着体１２とを着脱自在に構成して、担架本体１１から搬送者側装着体と被搬送者側装着体１２とを取外しすることにより、担架１０ａのみの搬送具として使用することができる。担架１０ａと使用する場合には、担架本体１１に要介護者などを乗せて入浴などさせることもできる。
【００６３】
以上のようにして、本実施例における被搬送者搬送具１０は、被搬送者を背負う背負い具１０ｂとして使用可能とすると共に、担架本体１１の長手方向に配設された複数個の持ち手５０のいずれかを搬送者Ｍ１が持つことにより、被搬送者Ｍ２を担架本体１１上に乗せて搬送可能とする担架１０ａとして使用可能とすることができる。
【００６４】
また、担架本体１１を構成する三次元立体編物１９は、構造的にも水分を保持しくい素材であり、水に濡れにくい素材で形成されている。したがって、雨の中で背負い具１０ｂとして使用することができ、また、担架１０ａとして使用することができる。
【００６５】
さらに、担架本体１１はシート状の布製で構成されており、折り曲げ自在であるのでコンパクトに袋内に収納することができ、また、軽量であるのでどこでも持ち運びが可能である。
【符号の説明】
【００６６】
１０  被搬送者搬送具      
１１  担架本体
１２  被搬送者側装着体
１３  搬送者側装着体
１４  表面部
１５  裏面部
１６  連結部
１７  網目
１９  三次元立体編み物
２０  肩掛けベルト
３５  肩部連結ベルト
４０  腋窩部連結ベルト
４５  臀部連結ベルト
５０  持ち手
【図１】
2011217882.tif 000003
【図２】
2011217882.tif 000004
【図３】
2011217882.tif 000005
【図４】
2011217882.tif 000006
【図５】
2011217882.tif 000007
【図６】
2011217882.tif 000008
【図７】
2011217882.tif 000009
【図８】
2011217882.tif 000010
【図９】
2011217882.tif 000011